(57)【要約】      （修正有）【課題】紫外線照射によって可視光を発光することができるフォトルミネッセント材料として有用なポリマーの提供。【解決手段】式（Ｉ）で表される構成単位の少なくとも１種を含むポリマー。2018024846.tif 000019［Ｒ１はＨ又はメチル；Ｒ２及びＲ３は各々独立に、ハロゲン原子、置換／非置換の炭化水素基、置換／非置換のアルコキシ基又はシリル基；Ｒ４及びＲ５は各々独立にハロゲン原子、ヒドロキシ基、シアノ基、置換／非置換の炭化水素基、置換／非置換のアルコキシ基又はシリル基；Ｒ６はＨ、置換／非置換の炭化水素基、置換／非置換のアルコキシ基又はシリル基］【選択図】なし【特許請求の範囲】
【請求項１】
式（Ｉ）：
【化１】
2018024846.tif 000018
［式（Ｉ）中、
＊は、結合位置を示し、
Ｒ１は、水素原子またはメチルを示し、
ｍは、２〜２４の整数を示し、
ｍ個のＲ２およびｍ個のＲ３は、それぞれ独立に、水素原子、ハロゲン原子、置換基を有していてもよいＣ１−６アルキル基、置換基を有していてもよいＣ１−６アルコキシ基、置換基を有していてもよいＣ６−１４アリール基、または−Ｓｉ（Ｒ７）（Ｒ８）（Ｒ９）（前記式中、Ｒ７、Ｒ８およびＲ９は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示し、
ｎおよびｐは、それぞれ独立に、０〜４の整数を示し、
ｎ個のＲ４およびｐ個のＲ５は、それぞれ独立に、ハロゲン原子、ヒドロキシ基、シアノ基、置換基を有していてもよいＣ１−６アルキル基、置換基を有していてもよいＣ１−６アルコキシ基、置換基を有していてもよいＣ６−１４アリール基、または−Ｓｉ（Ｒ１０）（Ｒ１１）（Ｒ１２）（前記式中、Ｒ１０、Ｒ１１およびＲ１２は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示し、および
Ｒ６は、水素原子、置換基を有していてもよいＣ１−６アルキル基、置換基を有していてもよいＣ１−６アルコキシ基、置換基を有していてもよいＣ６−１４アリール基、または−Ｓｉ（Ｒ１３）（Ｒ１４）（Ｒ１５）（前記式中、Ｒ１３、Ｒ１４およびＲ１５は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示す。］
で表される構成単位の少なくとも１種を含むポリマー。
【請求項２】
ｍ個のＲ２およびｍ個のＲ３が水素原子であり、ｎおよびｐが０である請求項１に記載のポリマー。
【請求項３】
Ｒ６が、水素原子または−Ｓｉ（Ｒ１３）（Ｒ１４）（Ｒ１５）（前記式中、Ｒ１３、Ｒ１４およびＲ１５は、それぞれ独立に、置換基を有していてもよいＣ１−６アルキル基を示す。）である請求項１または２に記載のポリマー。
【請求項４】
請求項１〜３のいずれか一項に記載のポリマーからなるフォトルミネッセント材料。
【請求項５】
ポリマーがガラス状態であり、紫外線照射によって深青色光を発光する請求項４に記載のフォトルミネッセント材料。
【請求項６】
深青色光のピーク波長が３７０〜４２０ｎｍである請求項５に記載のフォトルミネッセント材料。
【請求項７】
深青色光が偏光である請求項５または６に記載のフォトルミネッセント材料。
【請求項８】
ポリマーが配向性ガラス状態であり、紫外線照射によって白色光を発光する請求項４に記載のフォトルミネッセント材料。
【請求項９】
請求項４〜８のいずれか一項に記載のフォトルミネッセント材料を含む発光装置。
【発明の詳細な説明】
【技術分野】
【０００１】
本発明は、フォトルミネッセント材料として有用なポリマーに関する。ここで「フォトルミネッセント（photoluminescent）材料」とは、「フォトルミネセンス（photoluminescence、即ち、光照射によって可視光を発光する現象）を利用する用途に用いられる材料」を意味する。
【背景技術】
【０００２】
光照射によって可視光（一般に、波長が３８０ｎｍ以上８３０ｎｍ未満の光）を発光するフォトルミネッセント材料は、照明装置、液晶ディスプレイのバックライトなどの発光装置等に使用されている。
【０００３】
これまで、フォトルミネッセント材料として様々な有機材料（例えば、発光ポリマー）および無機材料が提案されている。例えば、非特許文献１には、発光ポリマーとして、ポリ（フェニルアセチレン）が記載されている。
【先行技術文献】
【非特許文献】
【０００４】
【非特許文献１】JACKY W. Y. LAM, BEN ZHONG TANG, Journal of Polymer Science: Part A: Polymer Chemistry, Vol. 41, 2607-2629 (2003)
【発明の概要】
【発明が解決しようとする課題】
【０００５】
本発明は、フォトルミネッセント材料として有用な新規ポリマーを提供することにある。
【課題を解決するための手段】
【０００６】
本発明者らが鋭意検討を重ねた結果、アルキニル基または置換アルキニル基含有ビフェニル構造を含む側鎖を有するポリ（メタ）アクリレートがフォトルミネッセント材料として有用であることを見出した。この知見に基づく本発明は以下の通りである。
【０００７】
［１］  式（Ｉ）：
【０００８】
【化１】
2018024846.tif 000002
【０００９】
［式（Ｉ）中、
＊は、結合位置を示し、
Ｒ１は、水素原子またはメチルを示し、
ｍは、２〜２４の整数を示し、
ｍ個のＲ２およびｍ個のＲ３は、それぞれ独立に、水素原子、ハロゲン原子、置換基を有していてもよいＣ１−６アルキル基、置換基を有していてもよいＣ１−６アルコキシ基、置換基を有していてもよいＣ６−１４アリール基、または−Ｓｉ（Ｒ７）（Ｒ８）（Ｒ９）（前記式中、Ｒ７、Ｒ８およびＲ９は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示し、
ｎおよびｐは、それぞれ独立に、０〜４の整数を示し、
ｎ個のＲ４およびｐ個のＲ５は、それぞれ独立に、ハロゲン原子、ヒドロキシ基、シアノ基、置換基を有していてもよいＣ１−６アルキル基、置換基を有していてもよいＣ１−６アルコキシ基、置換基を有していてもよいＣ６−１４アリール基、または−Ｓｉ（Ｒ１０）（Ｒ１１）（Ｒ１２）（前記式中、Ｒ１０、Ｒ１１およびＲ１２は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示し、および
Ｒ６は、水素原子、置換基を有していてもよいＣ１−６アルキル基、置換基を有していてもよいＣ１−６アルコキシ基、置換基を有していてもよいＣ６−１４アリール基、または−Ｓｉ（Ｒ１３）（Ｒ１４）（Ｒ１５）（前記式中、Ｒ１３、Ｒ１４およびＲ１５は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示す。］
で表される構成単位の少なくとも１種を含むポリマー。
［２］  ｍ個のＲ２およびｍ個のＲ３が水素原子であり、ｎおよびｐが０である前記［１］に記載のポリマー。
［３］  Ｒ６が、水素原子または−Ｓｉ（Ｒ１３）（Ｒ１４）（Ｒ１５）（前記式中、Ｒ１３、Ｒ１４およびＲ１５は、それぞれ独立に、置換基を有していてもよいＣ１−６アルキル基を示す。）である前記［１］または［２］に記載のポリマー。
［４］  前記［１］〜［３］のいずれか一つに記載のポリマーからなるフォトルミネッセント材料。
［５］  ポリマーがガラス状態であり、紫外線照射によって深青色光を発光する前記［４］に記載のフォトルミネッセント材料。
［６］  深青色光のピーク波長が３７０〜４２０ｎｍである前記［５］に記載のフォトルミネッセント材料。
［７］  深青色光が偏光である前記［５］または［６］に記載のフォトルミネッセント材料。
［８］  ポリマーが配向性ガラス状態であり、紫外線照射によって白色光を発光する前記［４］に記載のフォトルミネッセント材料。
［９］  前記［４］〜［８］のいずれか一つに記載のフォトルミネッセント材料を含む発光装置。
【発明の効果】
【００１０】
本発明のポリマーは、紫外線照射によって可視光を発光することができ、フォトルミネッセント材料として有用である。
【図面の簡単な説明】
【００１１】
【図１】試験例１で測定したポリマーP-Si、ポリマーP-H およびポリマーP-C4 の室温での発光スペクトルを示すグラフである（点線：ポリマーP-Si の発光スペクトル、破線：ポリマーP-Hの発光スペクトル、実線：ポリマーP-C4）。
【図２】試験例２で測定したポリマーP-Si の発光スペクトルの加熱による変化を示すグラフである。
【図３】試験例２で測定したポリマーP-H の発光スペクトルの加熱による変化を示すグラフである。
【図４】試験例２で測定したポリマーP-C4 の発光スペクトルの加熱による変化を示すグラフである。
【図５】試験例３で測定したポリマーP-Si の発光スペクトルの冷却による変化を示すグラフである。
【図６】試験例３で測定したポリマーP-H の発光スペクトルの冷却による変化を示すグラフである。
【図７】試験例１、試験例３および試験例４で測定したポリマーP-Si の発光スペクトルを示すグラフである（実線：試験例１で測定した加熱前のポリマーP-Si の室温での発光スペクトル、点線：試験例３で測定した加熱後（150℃）のポリマーP-Si の発光スペクトル、破線：試験例４で測定した機械的刺激後のポリマーP-Si の室温での発光スペクトル）。
【図８】試験例１、試験例３および試験例４で測定したポリマーP-H の発光スペクトルを示すグラフである（実線：試験例１で測定した加熱前のポリマーP-H の室温での発光スペクトル、点線：試験例３で測定した加熱後（110℃）のポリマーP-H の発光スペクトル、破線：試験例４で測定した機械的刺激後のポリマーP-H の室温での発光スペクトル）。
【図９】試験例５で測定したポリマーP-Si の室温での偏光発光スペクトルを示すグラフである（実線：ビフェニル構造の長軸の配向方向に平行な偏光発光スペクトル、点線：ビフェニル構造の長軸の配向方向に垂直な偏光発光スペクトル）。
【図１０】試験例５で測定したポリマーP-H の室温での偏光発光スペクトルを示すグラフである（実線：ビフェニル構造の長軸の配向方向に平行な偏光発光スペクトル、点線：ビフェニル構造の長軸の配向方向に垂直な偏光発光スペクトル）。
【発明を実施するための形態】
【００１２】
本発明は、フォトルミネッセント材料として有用な、下記式（Ｉ）で表される構成単位の少なくとも１種を含むポリマーを提供する。
【００１３】
【化２】
2018024846.tif 000003
【００１４】
以下、「式（Ｉ）で表される構成単位」を「構成単位（Ｉ）」と略称することがある。他の化学式で表される構成単位、化合物およびポリマーも同様に略称することがある。また、「構成単位（Ｉ）の少なくとも１種を含むポリマー」を「ポリマー（Ｉ）」と略称することがある。
【００１５】
ポリマー（Ｉ）中の構成単位（Ｉ）は、１種のみでもよく、２種以上でもよい。ポリマー（Ｉ）中の構成単位（Ｉ）は、好ましくは１種のみである。また、発光に悪影響を及ぼさない範囲で、ポリマー（Ｉ）は、構成単位（Ｉ）とは異なる他の構成単位を含んでいてもよい。ポリマー（Ｉ）中の他の構成単位の量は、ポリマー（Ｉ）中の全構成単位（即ち、全繰り返し単位）１００ｍｏｌに対して、好ましくは７０ｍｏｌ以下、より好ましくは５０ｍｏｌ以下である。さらに好ましくは、ポリマー（Ｉ）は他の構成単位を含まない（即ち、ポリマー（Ｉ）は構成単位（Ｉ）の少なくとも１種からなる）。特に好ましくは、ポリマー（Ｉ）は構成単位（Ｉ）の１種からなる。
【００１６】
次に、基の定義について説明する。
本明細書中、「Ｃｘ−ｙ」とは、炭素原子数がｘ以上ｙ以下（ｘ、ｙ：整数）であることを意味する。
【００１７】
本明細書中、「ハロゲン原子」としては、例えば、フッ素、塩素、臭素、ヨウ素が挙げられる。
【００１８】
本明細書中、「Ｃ１−６アルキル基」としては、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチルが挙げられる。Ｃ１−６アルキル基が有していてもよい置換基としては、例えば、ハロゲン原子、Ｃ１−６アルコキシ基、置換基を有していてもよいＣ６−１４アリール基が挙げられる。
【００１９】
本明細書中、「Ｃ１−６アルコキシ基」としては、例えば、メトキシ、エトキシ、プロポキシ、イソプロポキシ、ブトキシ、イソブトキシ、ｓｅｃ−ブトキシ、ｔｅｒｔ−ブトキシ、ペンチルオキシ、ヘキシルオキシが挙げられる。Ｃ１−６アルコキシ基が有していてもよい置換基としては、例えば、ハロゲン原子、Ｃ１−６アルコキシ基、置換基を有していてもよいＣ６−１４アリール基が挙げられる。
【００２０】
本明細書中、「Ｃ６−１４アリール基」としては、例えば、フェニル、１−ナフチル、２−ナフチル、１−アントリル、２−アントリル、９−アントリルが挙げられる。Ｃ６−１４アリール基が有していてもよい置換基としては、例えば、ハロゲン原子、Ｃ１−６アルキル基、Ｃ１−６アルコキシ基が挙げられる。
【００２１】
次に、式（Ｉ）中の記号について説明する。
式（Ｉ）中のＲ１は、水素原子またはメチルを示す。
【００２２】
式（Ｉ）中のｍは、２〜２４の整数を示す。ｍが２未満であると、ポリマー（Ｉ）が液晶性を示さず、後述するような偏光を発光しなくなるおそれがある。一方、ｍが２４を超えると、ポリマー主鎖とビフェニル構造を含む側鎖とが分離され、ビフェニル構造（発光団）が主鎖と独立して運動するようになり、白色発光を示さないおそれがある。ｍは、好ましくは５〜１８の整数であり、より好ましくは６〜１２の整数であり、さらに好ましくは６である。
【００２３】
式（Ｉ）中のｍ個のＲ２およびｍ個のＲ３は、それぞれ独立に、水素原子、ハロゲン原子、置換基を有していてもよいＣ１−６アルキル基、置換基を有していてもよいＣ１−６アルコキシ基、置換基を有していてもよいＣ６−１４アリール基、または−Ｓｉ（Ｒ７）（Ｒ８）（Ｒ９）（前記式中、Ｒ７、Ｒ８およびＲ９は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示す。
【００２４】
ｍ個のＲ２は、互いに同じでも、異なっていてもよいが、同じであることが好ましい。また、ｍ個のＲ３は、互いに同じでも、異なっていてもよいが、同じであることが好ましい。また、Ｒ２およびＲ３は、互いに同じでも、異なっていてもよいが、同じであることが好ましい。
【００２５】
Ｒ７、Ｒ８およびＲ９は、それぞれ独立に、好ましくは置換基を有していてもよいＣ１−６アルキル基であり、より好ましくはＣ１−６アルキル基であり、さらに好ましくはメチルである。Ｒ７、Ｒ８およびＲ９は、互いに同じでも、異なっていてもよいが、同じであることが好ましい。
【００２６】
ｍ個のＲ２およびｍ個のＲ３は、それぞれ独立に、好ましくは水素原子または置換基を有していてもよいＣ１−６アルキル基であり、より好ましくは水素原子またはＣ１−６アルキル基であり、さらに好ましくは水素原子である。
【００２７】
式（Ｉ）中のｎおよびｐは、それぞれ独立に、０〜４の整数を示す。ｎおよびｐは、それぞれ独立に、好ましくは０〜２の整数であり、より好ましくは０または１であり、さらに好ましくは０である。
【００２８】
式（Ｉ）中のｎ個のＲ４およびｐ個のＲ５は、それぞれ独立に、ハロゲン原子、ヒドロキシ基、シアノ基、置換基を有していてもよいＣ１−６アルキル基、置換基を有していてもよいＣ１−６アルコキシ基、置換基を有していてもよいＣ６−１４アリール基、または−Ｓｉ（Ｒ１０）（Ｒ１１）（Ｒ１２）（前記式中、Ｒ１０、Ｒ１１およびＲ１２は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示す。
【００２９】
ｎが２以上である場合、ｎ個のＲ４は、互いに同じでも、異なっていてもよいが、同じであることが好ましい。また、ｐが２以上である場合、ｐ個のＲ５は、互いに同じでも、異なっていてもよいが、同じであることが好ましい。また、Ｒ４およびＲ５は、互いに同じでも、異なっていてもよいが、同じであることが好ましい。
【００３０】
Ｒ１０、Ｒ１１およびＲ１２は、それぞれ独立に、好ましくは置換基を有していてもよいＣ１−６アルキル基であり、より好ましくはＣ１−６アルキル基であり、さらに好ましくはメチルである。Ｒ１０、Ｒ１１およびＲ１２は、互いに同じでも、異なっていてもよいが、同じであることが好ましい。
【００３１】
ｎ個のＲ４およびｐ個のＲ５は、それぞれ独立に、好ましくはハロゲン原子、置換基を有していてもよいＣ１−６アルキル基、または置換基を有していてもよいＣ１−６アルコキシ基であり、より好ましくはハロゲン原子または置換基を有していてもよいＣ１−６アルキル基であり、さらに好ましくはハロゲン原子またはＣ１−６アルキル基である。
【００３２】
式（Ｉ）中のＲ６は、水素原子、置換基を有していてもよいＣ１−６アルキル基、置換基を有していてもよいＣ１−６アルコキシ基、置換基を有していてもよいＣ６−１４アリール基、または−Ｓｉ（Ｒ１３）（Ｒ１４）（Ｒ１５）（前記式中、Ｒ１３、Ｒ１４およびＲ１５は、それぞれ独立に、水素原子、置換基を有していてもよいＣ１−６アルキル基、置換基を有していてもよいＣ１−６アルコキシ基、または置換基を有していてもよいＣ６−１４アリール基を示す。）を示す。
【００３３】
Ｒ６は、好ましくは水素原子または−Ｓｉ（Ｒ１３）（Ｒ１４）（Ｒ１５）（前記式中、Ｒ１３、Ｒ１４およびＲ１５は、それぞれ独立に、置換基を有していてもよいＣ１−６アルキル基を示す。）であり、より好ましくは水素原子または−Ｓｉ（Ｒ１３）（Ｒ１４）（Ｒ１５）（前記式中、Ｒ１３、Ｒ１４およびＲ１５は、それぞれ独立に、Ｃ１−６アルキル基を示す。）であり、さらに好ましくは水素原子または−Ｓｉ（ＣＨ３）３である。
【００３４】
式（Ｉ）中の基の好ましい組合せは以下の通りである：
Ｒ１は、水素原子またはメチルであり、
ｍは、５〜１８の整数であり、
ｍ個のＲ２およびｍ個のＲ３は、それぞれ独立に、水素原子または置換基を有していてもよいＣ１−６アルキル基であり、
ｎおよびｐは、それぞれ独立に、０〜２の整数であり、
ｎ個のＲ４およびｐ個のＲ５は、それぞれ独立に、ハロゲン原子、置換基を有していてもよいＣ１−６アルキル基、または置換基を有していてもよいＣ１−６アルコキシ基であり、および
Ｒ６は、水素原子または−Ｓｉ（Ｒ１３）（Ｒ１４）（Ｒ１５）（前記式中、Ｒ１３、Ｒ１４およびＲ１５は、それぞれ独立に、置換基を有していてもよいＣ１−６アルキル基を示す。）である。
【００３５】
式（Ｉ）中の基のより好ましい組合せは以下の通りである：
Ｒ１は、水素原子またはメチルであり、
ｍは、６〜１２の整数であり、
ｍ個のＲ２およびｍ個のＲ３は、それぞれ独立に、水素原子またはＣ１−６アルキル基であり、
ｎおよびｐは、それぞれ独立に、０または１であり、
ｎ個のＲ４およびｐ個のＲ５は、それぞれ独立に、ハロゲン原子または置換基を有していてもよいＣ１−６アルキル基であり、および
Ｒ６は、水素原子または−Ｓｉ（Ｒ１３）（Ｒ１４）（Ｒ１５）（前記式中、Ｒ１３、Ｒ１４およびＲ１５は、それぞれ独立に、Ｃ１−６アルキル基を示す。）である。
【００３６】
式（Ｉ）中の基のさらに好ましい組合せは以下の通りである：
Ｒ１は、水素原子またはメチルであり、
ｍは、６であり、
ｍ個のＲ２およびｍ個のＲ３は、水素原子であり、
ｎおよびｐは、０であり、および
Ｒ６は、水素原子または−Ｓｉ（ＣＨ３）３である。
【００３７】
ポリマー（Ｉ）の数平均分子量（Ｍｎ）は、好ましくは１，０００〜５００，０００、より好ましくは５，０００〜３００，０００、さらに好ましくは１０，０００〜２００，０００である。この数平均分子量は、ポリスチレンを標準として使用するゲル浸透クロマトグラフ法（ＧＰＣ）によって測定される値である。詳しくは、後述の実施例に記載する装置および条件を使用する方法、またはこれに準ずる方法によって、数平均分子量を測定することができる。
【００３８】
ポリマー（Ｉ）は、例えば、下記式に示すように、工程（Ａ）〜工程（Ｃ）を経て製造することができる［下記式中の各記号は上記の通りである。］。但し、本発明は以下の製造方法に限定されず、他の方法によってポリマー（Ｉ）を製造してもよい。
【００３９】
【化３】
2018024846.tif 000004
【００４０】
＜工程（Ａ）＞
工程（Ａ）は、化合物（１）と化合物（２）とを反応させて、化合物（３）を合成する工程である。化合物（２）の使用量は、化合物（１）１ｍｏｌに対して、好ましくは１〜３ｍｏｌ、より好ましくは１．２〜２ｍｏｌである。
【００４１】
化合物（１）としては、市販品を使用してもよく、公知の方法で合成したものを使用してもよい。当業者であれば、例えば、ｎおよびｐが０である無置換の化合物（１）に、公知の方法で置換基を導入して、その誘導体を合成することができる。
【００４２】
化合物（２）としては、市販品を使用してもよく、公知の方法で合成したものを使用してもよい。例えば、１，６−ジブロモヘキサン等のＲ２およびＲ３が水素原子である無置換の化合物（２）は市販されている。また、当業者であれば、無置換の化合物（２）に、公知の方法で置換基を導入して、その誘導体を合成することができる。
【００４３】
化合物（１）と化合物（２）との反応は、通常、溶媒中で行われる。この溶媒としては、例えば、アセトン、Ｎ，Ｎ−ジメチルホルムアミド（ＤＭＦ）、メチルエチルケトン、ジメチルスルホキシド等が挙げられる。溶媒の使用量は、化合物（１）１ｇに対して、好ましくは５〜１００ｍＬ、より好ましくは１５〜５０ｍＬである。
【００４４】
化合物（１）と化合物（２）との反応温度は、好ましくは２０〜１００℃、より好ましくは５０〜１００℃であり、その反応時間は、好ましくは１２〜７２時間、より好ましくは１２〜２４時間である。
【００４５】
化合物（１）と化合物（２）との反応は、炭酸カリウム、炭酸ナトリウム、炭酸水素ナトリウム等の塩基性化合物、１８−クラウン−６、テトラブチルアンモニウムクロリド等の相関移動触媒、およびヨウ化カリウム（ＫＩ）、ヨウ化ナトリウム等のヨウ化物の存在下で行うことが好ましい。塩基性化合物の使用量は、化合物（１）１ｍｏｌに対して、好ましくは１〜５ｍｏｌ、より好ましくは１〜２ｍｏｌである。相関移動触媒の使用量は、化合物（１）１ｍｏｌに対して、好ましくは０．０１〜１ｍｏｌ、より好ましくは０．１〜０．５ｍｏｌである。ヨウ化物の使用量は、化合物（１）１ｍｏｌに対して、好ましくは０．０１〜１ｍｏｌ、より好ましくは０．１〜０．５ｍｏｌである。
【００４６】
反応の終了後、濾過等の公知の手段によって化合物（３）を回収することができる。回収した化合物（３）を、抽出等の公知の手段によって精製してもよい。
【００４７】
＜工程（Ｂ）＞
工程（Ｂ）は、化合物（３）と化合物（４）（即ち、（メタ）アクリル酸）とを反応させて、化合物（５）を合成する工程である。化合物（４）の使用量は、化合物（３）１ｍｏｌに対して、好ましくは１〜１０ｍｏｌ、より好ましくは１〜３ｍｏｌである。化合物（４）は市販品を使用することができる。
【００４８】
化合物（３）と化合物（４）との反応は、通常、溶媒中で行われる。この溶媒としては、例えば、Ｎ，Ｎ−ジメチルホルムアミド（ＤＭＦ）、アセトン、メチルエチルケトン、ジメチルスルホキシド等が挙げられる。溶媒の使用量は、化合物（３）１ｇに対して、好ましくは５〜５０ｍＬ、より好ましくは１０〜２０ｍＬである。また、この反応は、アルゴン等の不活性雰囲気下で行うことが好ましい。
【００４９】
化合物（３）と化合物（４）との反応温度は、好ましくは１０〜５０℃、より好ましくは２０〜３０℃であり、その反応時間は、好ましくは４〜７２時間、より好ましくは４〜２４時間である。
【００５０】
化合物（３）と化合物（４）との反応は、炭酸セシウムの存在下で行うことが好ましい。炭酸セシウムの使用量は、化合物（１）１ｍｏｌに対して、好ましくは０．５〜３ｍｏｌ、より好ましくは０．５〜１ｍｏｌである。
【００５１】
化合物（３）と化合物（４）との反応はヒドロキノン、ｔ−ブチルカテコールのなどの重合禁止剤の存在下で行ってもよい。
【００５２】
反応の終了後、溶媒留去等の公知の手段によって化合物（５）を回収することができる。回収した化合物（５）を、抽出、シリカゲルカラムクロマトグラフィー、再結晶等の公知の手段によって精製してもよい。
【００５３】
＜工程（Ｃ）＞
工程（Ｃ）は、モノマーである化合物（５）を重合してポリマー（Ｉ）を合成する工程である。
【００５４】
化合物（５）の重合は、通常、２，２’−アゾビス（イソブチロニトリル）（ＡＩＢＮ）、過酸化ベンゾイル等の重合開始剤の存在下で行われる。重合開始剤の使用量は、化合物（５）１ｍｏｌに対して、好ましくは０．０１〜０．２ｍｏｌ、より好ましくは０．０２〜０．１ｍｏｌである。
【００５５】
化合物（５）の重合は、通常、溶媒中で行われる。この溶媒としては、例えば、Ｎ，Ｎ−ジメチルホルムアミド（ＤＭＦ）、ベンゼン等が挙げられる。溶媒の使用量は、化合物（５）１ｇに対して、好ましくは０〜１００ｍＬ、より好ましくは０〜１０ｍＬである。
【００５６】
化合物（５）の重合温度は、好ましくは０〜１２０℃、より好ましくは４０〜８０℃であり、その重合時間は、好ましくは８〜７２時間、より好ましくは１２〜４８時間である。
【００５７】
重合の終了後、濾過等の公知の手段によってポリマー（Ｉ）を回収することができる。回収したポリマー（Ｉ）を、再沈殿等の公知の手段によって精製してもよい。
【００５８】
また、式（Ｉ）中のＲ６が−Ｓｉ（Ｒ１３）（Ｒ１４）（Ｒ１５）であるポリマー（Ｉ−１）および式（Ｉ）中のＲ６が水素原子であるポリマー（Ｉ−２）は、例えば、下記式に示すように、工程（Ａ’）〜工程（Ｅ）を経て製造することができる［下記式中の各記号は上記の通りである。］。但し、本発明は以下の製造方法に限定されず、他の方法によってポリマー（Ｉ）を製造してもよい。
【００５９】
【化４】
2018024846.tif 000005
【００６０】
＜工程（Ａ’）＞
工程（Ａ’）は、化合物（６）と化合物（２）とを反応させて、化合物（７）を合成する工程である。工程（Ａ’）は、化合物（１）を化合物（６）に変更すること以外は工程（Ａ）と同様にして行うことができる。
【００６１】
化合物（６）としては、市販品を使用してもよく、公知の方法で合成したものを使用してもよい。例えば、４−ブロモ−４’−ヒドロキシビフェニル等のｎおよびｐが０である無置換の化合物（６）は市販されている。また、当業者であれば、無置換の化合物（６）に、公知の方法で置換基を導入して、その誘導体を合成することができる。
【００６２】
＜工程（Ｄ）＞
工程（Ｄ）は、化合物（７）と化合物（８）とを反応させて、化合物（９）を合成する工程である。化合物（８）の使用量は、化合物（７）１ｍｏｌに対して、好ましくは１〜１０ｍｏｌ、より好ましくは１．５〜３ｍｏｌである。化合物（８）としては、例えばトリメチルシリルアセチレン等の市販品を使用することができる。
【００６３】
化合物（７）と化合物（８）との反応は、通常、溶媒中で行われる。この溶媒としては、例えば、トリエチルアミン、Ｎ，Ｎ−ジメチルホルムアミド（ＤＭＦ）、テトラヒドロフラン（ＴＨＦ）、アセトニトリル等が挙げられる。溶媒の使用量は、化合物（７）１ｇに対して、好ましくは５〜５０ｍＬ、より好ましくは１０〜２０ｍＬである。また、この反応は、アルゴン等の不活性雰囲気下で行うことが好ましい。
【００６４】
化合物（７）と化合物（８）との反応温度は、好ましくは６０〜１２０℃、より好ましくは８０〜１００℃であり、その反応時間は、好ましくは５〜１００時間、より好ましくは１０〜７０時間である。
【００６５】
化合物（７）と化合物（８）との反応は、ビス（トリフェニルホスフィン）パラジウム（ＩＩ）ジクロリド（ＰｄＣｌ２（ＰＰｈ３）２）等のパラジウム化合物、ヨウ化銅（Ｉ）（ＣｕＩ）等の銅塩、およびトリフェニルホスフィン（ＰＰｈ３）等のホスフィン化合物の存在下で行うことが好ましい。パラジウム化合物の使用量は、化合物（７）１ｍｏｌに対して、好ましくは０．０１〜１ｍｏｌ、より好ましくは０．２〜０．５ｍｏｌである。銅塩の使用量は、化合物（７）１ｍｏｌに対して、好ましくは０．０１〜１ｍｏｌ、より好ましくは０．２〜０．５ｍｏｌである。ホスフィン化合物の使用量は、化合物（７）１ｍｏｌに対して、好ましくは０．０１〜１ｍｏｌ、より好ましくは０．２〜０．５ｍｏｌである。
【００６６】
反応の終了後、濾過等の公知の手段によって化合物（９）を回収することができる。回収した化合物（９）を、抽出、シリカゲルカラムクロマトグラフィー等の公知の手段によって精製してもよい。
【００６７】
＜工程（Ｂ’）＞
工程（Ｂ’）は、化合物（９）と化合物（４）（即ち、（メタ）アクリル酸）とを反応させて、化合物（１０）を合成する工程である。工程（Ｂ’）は、化合物（３）を化合物（９）に変更すること以外は工程（Ｂ）と同様にして行うことができる。
【００６８】
＜工程（Ｃ’）＞
工程（Ｃ’）は、モノマーである化合物（１０）を重合してポリマー（Ｉ−１）を合成する工程である。工程（Ｃ’）は、化合物（５）を化合物（１０）に変更すること以外は工程（Ｃ）と同様にして行うことができる。
【００６９】
＜工程（Ｅ）＞
工程（Ｅ）は、ポリマー（Ｉ−１）の−Ｓｉ（Ｒ１３）（Ｒ１４）（Ｒ１５）を除去して、ポリマー（Ｉ−２）を合成する工程である。
【００７０】
−Ｓｉ（Ｒ１３）（Ｒ１４）（Ｒ１５）の除去のために、フッ化テトラブチルアンモニウム、炭酸カリウム等の脱シリル化試薬を使用する。脱シリル化試薬の使用量は、ポリマー（Ｉ−１）中の繰り返し単位１ｍｏｌに対して、好ましくは１〜１０ｍｏｌ、より好ましくは２〜３ｍｏｌである。
【００７１】
−Ｓｉ（Ｒ１３）（Ｒ１４）（Ｒ１５）の除去は、通常、溶媒中で行われる。この溶媒としては、例えば、テトラヒドロフラン（ＴＨＦ）、メタノール等が挙げられる。溶媒の使用量は、ポリマー（Ｉ−１）１ｇに対して、好ましくは５〜５０ｍＬ、より好ましくは１０〜２０ｍＬである。
【００７２】
−Ｓｉ（Ｒ１３）（Ｒ１４）（Ｒ１５）の除去のための温度は、好ましくは２０〜６０℃、より好ましくは２０〜４０℃であり、そのための時間は、好ましくは１〜２０時間、より好ましくは２〜６時間である。
【００７３】
除去の終了後、濾過等の公知の手段によってポリマー（Ｉ−１）を回収することができる。回収したポリマー（Ｉ−１）を、再沈殿等の公知の手段によって精製してもよい。
【００７４】
また、ポリマー（Ｉ）は、例えば、下記式に示すように、工程（Ｆ）〜工程（Ｃ）を経て製造することができる［下記式中の各記号は上記の通りである。］。但し、本発明は以下の製造方法に限定されず、他の方法によってポリマー（Ｉ）を製造してもよい。
【００７５】
【化５】
2018024846.tif 000006
【００７６】
＜工程（Ｆ）＞
工程（Ｆ）は、化合物（６）と化合物（１１）とを反応させて、化合物（１２）を合成する工程である。化合物（１１）の使用量は、化合物（６）１ｍｏｌに対して、好ましくは１〜５ｍｏｌ、より好ましくは１〜２ｍｏｌである。
【００７７】
化合物（６）としては、市販品を使用してもよく、公知の方法で合成したものを使用してもよい。当業者であれば、例えば、ｎおよびｐが０である無置換の化合物（６）に、公知の方法で置換基を導入して、その誘導体を合成することができる。
【００７８】
化合物（１１）としては、市販品を使用してもよく、公知の方法で合成したものを使用してもよい。例えば、６−クロロ−１−ヘキサノール等のＲ２およびＲ３が水素原子である無置換の化合物（１１）は市販されている。また、当業者であれば、無置換の化合物（１１）に、公知の方法で置換基を導入して、その誘導体を合成することができる。
【００７９】
化合物（６）と化合物（１１）との反応は、通常、溶媒中で行われる。この溶媒としては、例えば、Ｎ，Ｎ−ジメチルホルムアミド（ＤＭＦ）、アセトン、ジメチルスルホキシド（ＤＭＳＯ）等が挙げられる。溶媒の使用量は、化合物（６）１ｇに対して、好ましくは１０〜１００ｍＬ、より好ましくは１０〜５０ｍＬである。
【００８０】
化合物（６）と化合物（１１）との反応温度は、好ましくは３０〜１５０℃、より好ましくは５０〜１００℃であり、その反応時間は、好ましくは３〜４８時間、より好ましくは１０〜２４時間である。
【００８１】
化合物（６）と化合物（１１）との反応は、炭酸カリウム、炭酸ナトリウム、炭酸水素ナトリウム等の塩基性化合物、およびヨウ化カリウム（ＫＩ）、ヨウ化ナトリウム等のヨウ化物の存在下で行うことが好ましい。塩基性化合物の使用量は、化合物（６）１ｍｏｌに対して、好ましくは１〜５ｍｏｌ、より好ましくは１．２〜２．５ｍｏｌである。ヨウ化物の使用量は、化合物（６）１ｍｏｌに対して、好ましくは０．０２〜１ｍｏｌ、より好ましくは０．０４〜０．８ｍｏｌである。
【００８２】
反応の終了後、濾過等の公知の手段によって化合物（１２）を回収することができる。回収した化合物（１２）を、抽出、シリカゲルカラムクロマトグラフィー等の公知の手段によって精製してもよい。
【００８３】
＜工程（Ｄ’）＞
工程（Ｄ’）は、化合物（１２）と化合物（１３）とを反応させて、化合物（１４）を合成する工程である。工程（Ｄ’）は、化合物（７）を化合物（１２）に変更し、化合物（８）を化合物（１３）に変更すること以外は工程（Ｄ）と同様にして行うことができる。
化合物（１３）としては、例えば１−ヘキシン等の市販品を使用することができる。
【００８４】
反応の終了後、濾過等の公知の手段によって化合物（１４）を回収することができる。回収した化合物（１４）を、抽出、シリカゲルカラムクロマトグラフィー等の公知の手段によって精製してもよい。
【００８５】
＜工程（Ｇ）＞
工程（Ｇ）は、化合物（１４）（即ち、アルコール）と化合物（１５）（即ち、塩化（メタ）アクリロイル）とを反応させることによって、化合物（５）を合成する工程である。化合物（１５）の使用量は、化合物（１４）１ｍｏｌに対して、好ましくは１〜５ｍｏｌ、より好ましくは１．２〜３ｍｏｌである。化合物（１５）は市販品を使用することができる。
【００８６】
化合物（１４）と化合物（１５）との反応は、通常、溶媒中で行われる。この溶媒としては、例えば、テトラヒドロフラン（ＴＨＦ）等が挙げられる。溶媒の使用量は、化合物（１４）１ｇに対して、好ましくは１０〜１００ｍＬ、より好ましくは１０〜３０ｍＬである。
【００８７】
化合物（１４）と化合物（１５）との反応温度は、好ましくは０〜５０℃、より好ましくは０〜４０℃であり、その反応時間は、好ましくは１〜２４時間、より好ましくは１〜２０時間である。
【００８８】
化合物（１４）と化合物（１５）との反応は、トリエチルアミン、ピリジン等の塩基性化合物の存在下で行うことが好ましい。塩基性化合物の使用量は、化合物（１４）１ｍｏｌに対して、好ましくは１〜５ｍｏｌ、より好ましくは１．２〜３ｍｏｌである。
【００８９】
反応の終了後、溶媒留去等の公知の手段によって化合物（５）を回収することができる。回収した化合物（５）を、抽出、シリカゲルカラムクロマトグラフィー、再結晶等の公知の手段によって精製してもよい。
【００９０】
＜工程（Ｃ）＞
工程（Ｃ）は、モノマーである化合物（５）を重合してポリマー（Ｉ）を合成する工程である。工程（Ｃ）の説明は、上述の通りである。
【００９１】
本発明は、ポリマー（Ｉ）からなるフォトルミネッセント材料を提供する。本発明のフォトルミネッセント材料は、１種のポリマー（Ｉ）のみであってもよく、２種以上のポリマー（Ｉ）の混合物であってもよい。また、本発明のフォトルミネッセント材料は、他の公知のフォトルミネッセント材料と併用してもよい。
【００９２】
ポリマー（Ｉ）がガラス状態である場合、紫外線照射によって深青色（deep blue)光を発光することができる。深青色光のピーク波長は、好ましくは３７０〜４５０ｎｍ、より好ましくは３８０〜４２０ｎｍである。
【００９３】
上述の深青色光は、好ましくは偏光である。通常、液晶ディスプレイ等では、光源からの非偏光を偏光板に通過させて偏光を得ている。しかし、光を偏光板に通過させると、光源から発光した全ての光を使用することができない。一方、ガラス状態であるポリマー（Ｉ）からなる本願発明のフォトルミネッセント材料は、偏光を発光するため、偏光板を通過させる必要がなく、発光した全ての光を使用することができる。また、本発明のフォトルミネッセント材料を使用すれば、偏光板を省略できるため、発光装置、およびこの発光装置を含む液層ディスプレイ等のサイズを小型化することができる。
【００９４】
ポリマー（Ｉ）が偏光を発光するのは、ポリマー（Ｉ）が液晶性を示すためであると推定される。また、この液晶性は、おそらく式（Ｉ）中のリンカー部分である−（Ｃ（Ｒ２）（Ｒ３））ｍ−（前記式中のｍは２以上である）に起因すると推定される。但し、本発明はこのような推定に限定されない。
【００９５】
ポリマー（Ｉ）が配向性ガラス状態である場合、紫外線照射によって白色光を発光することができる。白色光を発光できるポリマー（Ｉ）は、照明装置等への応用が強く期待される。ここで配向性ガラス状態とは、側鎖が配向した状態のまま主鎖がガラス化して固化した状態を意味する。また、ポリマーがガラス状態または配向性ガラス状態のいずれであるかは、偏光顕微鏡を用いて観察する複屈折性の有無、偏光吸収スペクトル法、偏光発光スペクトル法等によって判定することができる。
【００９６】
ポリマー（Ｉ）が配向性ガラス状態で白色光を発光するのは、−Ｃ≡Ｃ−Ｒ６部分に起因すると推定される。但し、本発明はこのような推定に限定されない。
【００９７】
上述したポリマー（Ｉ）の製造方法では、ポリマー（Ｉ）は、ガラス状態で得られる。このガラス状態のポリマー（Ｉ）を、ガラス転移温度よりも高い温度に加熱した後、冷却させることによって、室温でも配向性ガラス状態であるポリマー（Ｉ）を製造することができる。詳しくは、ポリマー（Ｉ）を、好ましくは１〜２０℃／分（より好ましくは１〜１０℃／分）の速度で、室温からガラス転移温度よりも高い温度に加熱した後、好ましくは１〜２０℃／分（より好ましくは１〜１０℃／分）の速度で、室温まで冷却させることによって、配向性ガラス状態のポリマー（Ｉ）を製造することができる。
【００９８】
本発明は、上述した本発明のフォトルミネッセント材料を含む発光装置を提供する。発光装置としては、例えば、日常生活に用いられる照明装置、液晶ディスプレイのバックライト等が挙げられる。
【実施例】
【００９９】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。
【０１００】
化合物およびポリマーの同定
下記実施例で得られた化合物およびポリマーの1H NMR、元素分析およびゲル浸透クロマトグラフ法 (GPC) を以下のようにして実施した。
【０１０１】
（ａ）1H NMR
下記実施例で得られた化合物およびポリマーの1H NMR を、JEOL ECS-400を用いて実施した。
【０１０２】
（ｂ）元素分析
下記実施例で得られた化合物の元素分析を、MICRO CORDER JM10 (J-SCIENCE)を用いて実施した。
【０１０３】
（ｃ）ゲル浸透クロマトグラフ法 (GPC)
下記実施例で得られたポリマーの数平均分子量(Mn) および重量平均分子量 (Mw) を、GPC により測定した。詳しくは、HLC-8020（東ソー）およびGPCカラム (KF-802.5, Shodex) を用い、THFを展開溶媒とし、40 ℃で流速1.0 mL min-1の条件で測定を行った。Mn および Mw は標準ポリスチレンを用いてキャリブレーションした。
【０１０４】
実施例１：ポリマーP-Si の合成
（ａ）化合物S1 の合成
【０１０５】
【化６】
2018024846.tif 000007
【０１０６】
4-ブロモ-4'-ヒドロキシビフェニル (2.5 g, 10 mmol)、炭酸カリウム (2.8 g, 20 mmol)、18-クラウン-6 (0.26 g, 1.0 mmol)、KI (0.17 g, 1.00 mmol)、および1,6-ジブロモヘキサン (4.9 g, 20 mmol) を50 mLのアセトンに懸濁し、50 ℃で24 時間撹拌した。沈殿物を濾別し、溶媒を留去した。残渣にヘキサンを加えて、生成した沈殿物を濾過により回収した。得られた固体をジクロロメタンに溶解し、水、飽和塩化アンモニウム水溶液、飽和食塩水の順で洗浄した。有機相を無水硫酸ナトリウムで乾燥し、溶媒を留去して、化合物S1 の白色結晶3.3 g (8.0 mmol) を収率80%で得た。
1H NMR (400 MHz, CDCl3, δ): 7.52 (dd, J = 11.6 and 1.3 Hz, 2H; 2,6-H in biphenyl), 7.49 (dd, J = 11.9 and 1.1 Hz, 2H; 3',5'-H in biphenyl), 7.42 (dd, J = 9.3 and 1.4 Hz, 2H, 3,5-H in biphenyl), 6.96 (dd, J = 10.2 and 2.5 Hz, 2H; 2',6'-H in biphenyl), 4.00 (t, J = 6.5 Hz, 2H; OCH2), 3.43 (t, J = 6.3 Hz, 2H; BrCH2), 1.91-1.89 (m, 2H; OCH2CH2), 1.84-1.81 (m, 2H; BrCH2CH2), and 1.55-1.51 (m, 4H; BrCH2CH2CH2CH2).
【０１０７】
（ｂ）化合物S2 の合成
【０１０８】
【化７】
2018024846.tif 000008
【０１０９】
化合物S1 (3.2 g, 7.8 mmol)、PdCl2(PPh3)2(0.16 g, 0.23 mmol)、CuI (95 mg, 0.31 mmol) およびPPh3(81 mg, 0.31 mmol)を30 mLのトリエチルアミンに溶解し、アルゴン雰囲気下で撹拌した。この溶液に1.5 gのトリメチルシリルアセチレン (15 mmol)をゆっくりと加え、反応混合物を 80 ℃で65 時間撹拌した。溶媒を留去した後、残渣をジクロロメタンに溶かし、水、飽和塩化アンモニウム水溶液、飽和食塩水の順で洗浄した。有機相を無水硫酸ナトリウムで乾燥し、溶媒を留去した。得られた粗生成物をシリカゲルカラムクロマトグラフィー（展開溶媒：ジクロロメタン／ヘキサン = 1/6 (体積比)）で精製し、1.9 g (4.4 mmol)の化合物S2 を収率56%で得た。
1H NMR (400 MHz, CDCl3, δ): 7.59-7.32 (m, 6H; CH in biphenyl), 6.97 (dd, J = 9.8 and 1.5 Hz, 2H; CH in biphenyl), 4.00 (t, J = 6.9 Hz, 2H; OCH2), 3.43 (t, J = 6.2 Hz, 2H; BrCH2), 1.90-1.85 (m, 2H; OCH2CH2), 1.83-1.78 (m, 2H; BrCH2CH2), and 1.55-1.48 (m, 4H; CH2), and 0.26 (s; 9H; Si(CH3)3).
【０１１０】
（ｃ）化合物M-Si の合成
【０１１１】
【化８】
2018024846.tif 000009
【０１１２】
化合物S2 (1.9 g, 4.4 mmol)、メタクリル酸 (0.75 g, 9.0 mmol) および炭酸セシウム (1.50 g, 4.50 mmol)を25 mLのDMF に加え、アルゴン雰囲気下にて室温で24 時間撹拌した。溶媒を減圧留去した後、残渣をジクロロメタンに溶解して飽和食塩水で洗浄した。有機相を無水硫酸ナトリウムで乾燥し、溶媒を減圧留去した。得られた粗生成物をシリカゲルカラムクロマトグラフィー（展開溶媒：ジクロロメタン／ヘキサン = 1/2 (体積比)）で精製した。さらに、エタノール／水の混合溶媒（1/10 (体積比)）から再結晶し、1.4 gの化合物M-Si (3.2 mmol)を収率73%で得た。
1H NMR (400 MHz, CDCl3, δ): 7.54-7.49 (m, 6H; 2,3,5,6,2',6'-H in biphenyl), 6.95 (dd, J = 9.9 and 1.4 Hz, 2H; 3',5'-H in biphenyl), 6.09 (s, 1H; Z-CHCCH3), 5.55 (s; 1H, E-CHCCH3), 4.18 (t, J = 6.6 Hz, 2H; COOCH2), 3.99 (t, J = 6.0 Hz, 2H; PhOCH2), 1.94 (s, 3H; CH3CCH2), 1.82 (quint, J = 5.6 Hz, 2H; COOCH2CH2), 1.72 (quint, J = 5.9 Hz, 2H; PhOCH2CH2), 1.43-1.53 (m, 4H Hz, 2OCH2CH2CH2), and 0.26 (s, 9H; Si(CH3)3).
元素分析. calcd for C27H34O3Si7: C 74.61, H 7.88, Si 6.46; found: C 74.47, H 7.94.
【０１１３】
（ｄ）ポリマーP-Si の合成
【０１１４】
【化９】
2018024846.tif 000010
【０１１５】
M-Si (1.4 g, 3.2 mmol)と2,2'-アゾビス(イソブチロニトリル) (AIBN) (26 mg, 0.16 mmol)を14 mLのDMFに溶解し、凍結融解サイクルを繰り返して脱気した。この溶液を60 ℃で48 時間撹拌した。反応溶液を室温に戻し、300 mLのメタノール中に注ぎ、生成ポリマーを沈殿させた。得られたポリマーをジクロロメタンに溶かし、大量のメタノールから再沈殿を行って精製した。沈殿物を回収し、減圧乾燥を行って、1.2 gのポリマーP-Si を転化率86%で得た。
1H NMR (400 MHz, CDCl3, δ): 7.51-7.40 (br, 6H; 2,3,5,6,2',6'-H in biphenyl), 6.92-6.80 (br, 2H; 3',5'-H in biphenyl), 4.11-3.79 (br, 4H; 2 OCH2), 1.79-1.59 (br 5H; CH3and COOCH2CH2), 1.51-1.23 (br, 6H; PhOCH2CH2CH2CH2), 1.18-0.92 (br, 2H; CH3CCH2), and 0.24 (s, 9H; Si(CH3)3).
Mn = 1.9 x 104, Mw/Mn = 3.5
【０１１６】
実施例２：ポリマーP-H の合成
【０１１７】
【化１０】
2018024846.tif 000011
【０１１８】
ポリマーP-Si (0.67 g, 1.5 mmol) を15 mLのTHF に溶かし、この溶液に3.1 mLのフッ化テトラブチルアンモニウムのTHF 溶液 (1.0 M) を加えた。反応溶液を室温で 5 時間撹拌した。反応混合物に水を加え、ポリマーをジクロロメタンで抽出した。有機相を無水硫酸ナトリウムで乾燥し、溶媒をエバポレーションにより濃縮した。得られた溶液を大量のメタノールに注ぎ、沈殿したポリマーを回収し、減圧乾燥して、0.50 gのポリマーP-H を転化率75%で得た。
1H NMR (400 MHz, CDCl3, δ): 7.52-7.41 (br, 6H; 2,3,5,6,2',6'-H in biphenyl), 6.91-6.81 (br, 2H; 3',5'-H in biphenyl), 4.12-3.78 (br, 4H; 2 OCH2), 3.09 (s, 1H; PhC≡CH), 1.80-1.58 (br 5H; CH3 and COOCH2CH2), 1.51-1.23 (br, 6H; PhOCH2CH2CH2CH2), and 0.90-1.09 (br, 2H; CH3CCH2).
Mn = 1.6 x 104, Mw/Mn = 3.5
【０１１９】
実施例３：ポリマーP-C4の合成
（ａ）化合物S3 の合成
【０１２０】
【化１１】
2018024846.tif 000012
【０１２１】
4-ブロモ-4'-ヒドロキシビフェニル (2.0 g, 8.0 mmol)、6-クロロ-1-ヘキサノール (1.6 g, 12 mmol)、炭酸カリウム (2.2 g, 16 mmol)、およびヨウ化カリウム (68 mg, 0.40 mmol) を50 mLのDMFに懸濁させ、100℃で13時間撹拌した。混合溶液をジクロロメタンで抽出し、有機相を分離し、水、飽和食塩水の順で洗浄した。洗浄した有機相を無水硫酸ナトリウムで乾燥し、溶媒を留去した。得られた粗生成物をシリカゲルカラムクロマトグラフィー（展開溶媒：ジクロロメタン）で精製し、1.6 g (4.6 mmol)の化合物S3を収率58%で得た。
1H NMR (400 MHz, CDCl3,δ): 7.51 (dd; J = 5.0 and 1.8 Hz; 2H; 3,5-H in biphenyl), 7.50 (dd; J = 4.3 and 2.4 Hz; 2H; 2,6-H in biphenyl), 7.42 (dd; J = 4.5 and 2.1 Hz; 2H; 2',6'-H in biphenyl), 6.96 (dd; J = 6.8 and 1.8 Hz; 2H; 3',5'-H in biphenyl), 4.00 (t; J = 6.59 Hz; 2H; OCH2), 3.67 (m; 2H; HOCH2), 1.86-1.76 (m; 2H; OCH2CH2), 1.66-1.56 (m; 2H; O(CH2)4CH2), 1.52-1.40 (m; 4H; O(CH2)2CH2CH2), 1.24 (br; 1H; OH).
【０１２２】
（ｂ）化合物S4 の合成
【０１２３】
【化１２】
2018024846.tif 000013
【０１２４】
化合物S3 (1.4 g, 3.9 mmol)、1-ヘキシン (0.89 g, 11 mmol)、PdCl2(PPh3)2(0.12 g, 0.17 mmol)、CuI (53 mg, 0.28 mmol)、およびPPh3 (58 mg, 0.22 mmol) を40 mLのトリエチルアミンに溶解し、80℃で22時間撹拌した。溶媒を留去した後、残渣をジクロロメタンに溶かし、水、飽和塩化アンモニウム水溶液、飽和食塩水の順で洗浄した。有機相を無水硫酸ナトリウムで乾燥し、溶媒を留去した。得られた粗生成物をシリカゲルカラムクロマトグラフィー（展開溶媒：ジクロロメタン／酢酸エチル = 4/1 (体積比)）で精製し、1.0 g (2.9 mmol) の化合物S4 を収率73%で得た。
1H NMR (400 MHz, CDCl3, δ): 7.52-7.40 (m; 6H; 2,3,5,6,2',6'-H in biphenyl), 6.94 (dd; J = 5.0 and 1.8 Hz; 2H; 3',5'-H in biphenyl), 4.00 (t; J = 6.35 Hz; 2H; OCH2), 3.67 (t; J = 6.4 Hz; 2H; HOCH2), 2.43 (t; J  = 7.0 Hz; 2H; ArCCCH2), 1.82 (q; J = 6.9 Hz; 2H; ArOCH2CH2), 1.63-1.54 (m; 6H; HOCH2CH2, O(CH2)2CH2, CH3CH2CH2), 1.53-1.44 (m; 4H; HO(CH2)2CH2, CH3CH2), 1.25 (s; 1H; OH), 0.96 (t; J = 7.24; 3H; CH2CH3).
【０１２５】
（ｃ）化合物M-C4 の合成
【０１２６】
【化１３】
2018024846.tif 000014
【０１２７】
化合物S4 (1.3 g, 3.4 mmol)、塩化メタクリロイル (0.98 mL, 10 mmol)、およびトリエチルアミン(0.99 g, 9.5 mmol) を15 mLの超脱水THFに溶解し，アルゴン雰囲気下において室温で18時間撹拌した。溶媒を留去した後、残渣をジクロロメタンに溶かし、1M塩酸、飽和炭酸水素ナトリウム水溶液、飽和食塩水の順で洗浄した。有機相を無水硫酸ナトリウムで乾燥し、溶媒を留去した。得られた粗生成物をシリカゲルカラムクロマトグラフィー（展開溶媒：クロロホルム）で精製し、0.5 g (1.2 mmol) の化合物M-C4 を収率35%で得た。
1H NMR (400 MHz, CDCl3, δ): 7.54-7.42 (m; 6H; 2,3,5,6,2',6'-H in biphenyl), 6.95 (dd; J = 6.80 & 2.27 Hz; 2H; 3',5'-H in biphenyl), 6.10 (s; 1H; Z-CH=C), 5.55 (m; J =1.55 Hz; 1H; E-CH=C), 4.16 (t; J =6.55 Hz; 2H; OCOCH2), 4.00 (t; J = 6.57 Hz; 2H; OCH2), 2.43 (t; J = 7.01 Hz; 2H: ArCCCH2), 1.94 (d; J = 1.70 Hz; 3H; CH2=C(CH3)C, 1.83 (q; J =6.91 Hz; 2H; OCOCH2CH2), 1.72 (q; J = 7.02 Hz; 2H; ArOCH2CH2), 1.67-1.61 (m; 2H; CH3CH2CH2), 1.56-1.48 (m; 6H; CH3CH2, ArO(CH2)2(CH2)2), 0.955 (t; J = 7.25 Hz; 3H; CH2CH3).
【０１２８】
【化１４】
2018024846.tif 000015
【０１２９】
化合物M-C4 (0.50 g, 1.2 mmol)、2,2'-アゾビス(イソブチロニトリル) (AIBN) (0.011 mg, 0.065 mmol) を14 mL のDMFに溶解し、凍結融解サイクルを繰り返して脱気した。この溶液を60 ℃で48 時間撹拌した。混合溶液をジクロロメタンで抽出し，水，飽和食塩水の順で洗浄した。有機相を無水硫酸ナトリウムで乾燥し、溶媒を留去した。得られた固体をジクロロメタンに溶解し，大量のメタノールから再沈殿を行って精製した。沈殿物を回収し、減圧乾燥を行って、0.23 gのポリマーP-Si を転化率46%で得た。
1H NMR (400 MHz, CDCl3, δ): 7.51-7.37 (br, 6H; 2,3,5,6,2',6'-H in biphenyl), 6.90-6.80 (br, 2H; 3',5'-H in biphenyl), 4.01-3.91 (br, 2H; OCH2), 2.43-2.40 (br 2H; CH2CH2OCO), 1.73-1.25 (br, H; (CH2)3CH2O, CH3CCOO and (CH2)3CH3, 1.15-0.97 (br, 2H; CH2CCOO), 0.97-0.87 (br, 3H; (CH2)3CH3).
Mn = 6.7 x 103, Mw/Mn = 2.2
【０１３０】
ポリマーの特性評価
得られたポリマーの相転移挙動、熱物性および光物理挙動を以下のようにして評価した。
（ａ）相転移挙動および熱物性
ポリマーP-Si、ポリマーP-H およびポリマーP-C4 の相転移挙動を、偏光顕微鏡（Olympus EX51TH）およびホットステージ (Instec, FP80 hot-stage およびmK1000 controller) を用いて観察した。なお、ポリマーの重量が５重量％減少した温度を前記ポリマーの熱分解温度と定義して、この熱分解温度を、昇温速度5.0 ℃ min-1の条件で熱重量分析装置 (Shimadzu, DTG-60AH)を用いて測定した。前記ポリマーの相転移温度（ガラス転移温度（Ｔｇ）、液晶相−等方相転移温度）を、5.0 ℃ min-1の昇温・降温速度の条件で示差走査熱量分析装置(DSC, SII, X-DSC7000)を用いて測定した。なお、ポリマーP-Si、ポリマーP-H およびポリマーP-C4 は、いずれも、ガラス転移温度（Ｔｇ）以下の温度ではガラス状態であり、液晶相−等方相転移温度超の温度では等方相の状態である。また、ポリマーP-SiおよびポリマーP-H は、ガラス転移温度超〜液晶相−等方相転移温度以下の温度ではネマチック相の状態であり、一方、ポリマーP-C4 は、ガラス転移温度超〜液晶相−等方相転移温度以下の温度ではスメクチック相の状態である。
【０１３１】
【表１】
2018024846.tif 000016
【０１３２】
（ｂ）光物理挙動
ポリマーP-Si およびポリマーP-H の紫外可視吸収スペクトルを、V-550分光光度計（日本分光）を用いて測定した。また、前記ポリマーの発光スペクトルを、F-7000蛍光分光光度計（日立ハイテク）を用いて測定した。詳しくは、固体および液晶状態のポリマーの発光スペクトルを、自作の温度調整ホルダーを分光器中に設置し、２枚の石英板 (10 mm × 30 mm × 1 mm) で挟みこんだ試料を用いて測定した。ポリマーの発光量子収率を、積分球（日立ハイテク）を用いて測定した。ポリマーの発光寿命を、パルス光源 (堀場製作所、NanoLED-375L、波長 = 402 nm、パルス幅 <100 ps (半値全幅)、周波数100 KHz)を励起光源として用い、TBX検出器（堀場製作所）で発光の減衰挙動を観察することで求めた。結果を下記表２に示す。ポリマーP-Si 中、その４７％のポリマーの発光寿命は１ナノ秒であり、その５３％のポリマーの発光寿命は８ナノ秒であった。また、ポリマーP-H 中、その５４％のポリマーの発光寿命は１ナノ秒であり、その４６％のポリマーの発光寿命は８ナノ秒であった。
【０１３３】
【表２】
2018024846.tif 000017
【０１３４】
試験例１：ポリマーP-Si、ポリマーP-H およびポリマーP-C4 の発光スペクトル
実施例１および２で得られたP-Si、ポリマーP-H またはポリマーP-C4を、THF に溶かし、得られた溶液（濃度：10-2 mol/L）を石英基板上にキャストし、次いで風乾により溶媒を除去することによって、石英基板上にポリマー膜（厚さ：1 μm）を調製した。得られたポリマー膜の室温での発光スペクトル（励起光の波長（λｅｘ）：333 nm）を測定した。ポリマーP-Si、ポリマーP-H、およびポリマーP-C4の発光スペクトルを図１に示す。なお、図１の点線がポリマーP-Si の発光スペクトルであり、破線がポリマーP-H の発光スペクトルであり、実線がポリマーP-C4である。図１に示されるように、ガラス転移温度（Ｔｇ）以下でガラス状態であるポリマーP-Si、ポリマーP-HおよびポリマーP-C4 は、深青色光を発光した。
【０１３５】
試験例２：ポリマーP-Si、ポリマーP-H およびポリマーP-C4 の発光スペクトルの加熱による変化
試験例１で得られたポリマーP-Si、ポリマーP-H およびポリマーP-C4の膜を、ホットプレートを使用して、空気雰囲気下、5℃／分の速度で加熱し、発光スペクトル（励起光の波長（λｅｘ）：333 nm）の加熱による変化を測定した。ポリマーP-Si の結果を図２に、ポリマーP-Hの結果を図３に、ポリマーP-C4の結果を図４に示す。ポリマーP-Si、ポリマーP-HおよびポリマーP-C4 は、加熱により発光スペクトルが変化した。また、ポリマーP-Si、ポリマーP-H およびポリマーP-C4 をガラス転移温度（Ｔｇ）よりも高い温度に加熱した場合（ポリマーP-Si のＴｇ：86℃、ポリマーP-H のＴｇ：71℃、ポリマーP-C4 のＴｇ：50℃）、これらは、白色光を発光した。
【０１３６】
試験例３：ポリマーP-Si およびポリマーP-H の発光スペクトルの冷却による変化
試験例２の後、ポリマーP-Si およびポリマーP-H の膜を、温度センサーを備えた自作のホットプレートを使用して、温度コントローラーを使用して温度制御を行いながら、空気雰囲気下、5℃／分の速度で室温まで冷却し、発光スペクトル（励起光の波長（λｅｘ）：333 nm）の冷却による変化を測定した。ポリマーP-Si の結果を図５に、ポリマーP-Hの結果を図６に示す。加熱により変化した発光スペクトルは、再度冷却しても、図１に示す加熱前の発光スペクトルに戻らなかった。また、加熱および冷却後に得られた配向性ガラス状態であるポリマーP-Si およびポリマーP-H は、室温でも白色光を発光した。
【０１３７】
試験例４：ポリマーP-Si およびポリマーP-H の発光スペクトルの機械的刺激による変化
試験例３で得られた配向性ガラス状態のポリマーP-Si の膜およびポリマーP-H の膜を、乳鉢を用いてすり潰して（即ち、機械的刺激を加えて）、ガラス状態のポリマーP-Si およびポリマーP-H を調製した。得られたガラス状態のポリマーP-Si およびポリマーP-H の室温での発光スペクトル（励起光の波長（λｅｘ）：333 nm）を測定した。ポリマーP-Si の結果を図７に、ポリマーP-H の結果を図８に示す。
【０１３８】
なお、図７の実線が試験例１で測定した加熱前のポリマーP-Si の室温での発光スペクトルであり、点線が試験例３で測定した加熱後（150℃）のポリマーP-Si の発光スペクトルであり、破線が試験例４で測定した機械的刺激後のポリマーP-Si の室温での発光スペクトルである。また、図８の実線が試験例１で測定した加熱前のポリマーP-H の室温での発光スペクトルであり、点線が試験例３で測定した加熱後（110℃）のポリマーP-H の発光スペクトルであり、破線が試験例４で測定した機械的刺激後のポリマーP-H の室温での発光スペクトルである。
【０１３９】
図７および８で示されるように、配向性ガラス状態であるポリマーP-Si およびポリマーP-H を、すり潰し（機械的刺激）によってガラス状態に戻すことによって、それらの発光が、白色光から深青色光に可逆的に変化した。
【０１４０】
試験例５：ポリマーP-Si およびポリマーP-H の偏光発光スペクトル
（ａ）ガラス板の洗浄および乾燥
ガラス板を、下記手順で洗浄および乾燥した。
(1) 超音波洗浄（中性洗剤）: 30 分
(2) 流水洗浄: 30 分
(3) 超音波洗浄（純水）: 30 分
(4) 流水洗浄: 30 分
(5) 超音波洗浄（2-プロパノール）: 30 分
(6) 乾燥: 60 ℃
【０１４１】
（ｂ）配向膜処理
2.5 重量%のポリアミド酸溶液（Ｎ−メチルピロリドン : γ-ブチロラクトンの体積比 = 1:2）を調製し、1 μm のメンブランフィルターで不溶分を除去した後、上記のようにして洗浄および乾燥したガラス板上に、スピンコーター（スピンコーター回転数および秒数、第1段階：300 rpm, 3 秒；第２段階：3000 rpm, 30秒）を用いて、ポリアミド酸の薄膜を製膜した。次いで、オーブン中で100℃で 1 時間、250℃で 2 時間加熱処理を行い、ポリアミド酸をイミド化させ、ポリイミドの薄膜を得た。
【０１４２】
（ｃ）ラビング処理 
上記のように形成したガラス板上のポリイミド膜表面を、脱脂綿を用いて同一方向に30回、手でこすった。
【０１４３】
（ｄ）洗浄・乾燥
上記のようにラビング処理したガラス板上のポリイミド膜表面から、下記手順で付着物（繊維やポリイミドの切削屑）を除去した。
(1) 超音波洗浄（2-プロパノール）: 10 分
(2) 乾燥: 60 ℃（オーブン）
【０１４４】
（ｅ）偏光発光スペクトルの測定
上記のような処理を施したポリイミド膜付ガラス板上に、ポリマーP-Si またはポリマーP-H の膜（厚さ：1 μm）を作製し、ポリマーP-Si およびポリマーP-H の室温での偏光発光スペクトル（励起光の波長（λｅｘ）：333 nm）を測定した。詳しくは、F-7000蛍光分光光度計に、ラビング処理の方向（＝ポリマーP-Si またはポリマーP-H のビフェニル構造の長軸の配向方向）対して平行または垂直となるように偏光子を設置し、ポリマーP-Si およびポリマーP-H の偏光発光スペクトルを測定した。
【０１４５】
ポリマーP-Si の室温での偏光発光スペクトルを図９に、ポリマーP-H の室温での偏光発光スペクトルを図１０に示す。なお、図９および１０ではいずれも、実線がビフェニル構造の長軸の配向方向に平行な偏光発光スペクトルであり、点線がビフェニル構造の長軸の配向方向に垂直な偏光発光スペクトルである。図９および１０に示されるように、ガラス状態であるポリマーP-Si およびポリマーP-H は、偏光を発光した。
【産業上の利用可能性】
【０１４６】
本発明のポリマーは、発光装置等に用いられるフォトルミネッセント材料として有用である。
【図１】
2018024846.tif 000020
【図２】
2018024846.tif 000021
【図３】
2018024846.tif 000022
【図４】
2018024846.tif 000023
【図５】
2018024846.tif 000024
【図６】
2018024846.tif 000025
【図７】
2018024846.tif 000026
【図８】
2018024846.tif 000027
【図９】
2018024846.tif 000028
【図１０】
2018024846.tif 000029